(57)【特許請求の範囲】
【請求項１】
前面が開放された外ケースと内ケースとの間に、内部に冷却器と送風機を収容してなる冷気循環経路を形成するとともに、前記内ケースにより囲まれた保冷庫内に上下複数段の陳列棚を設け、前記冷気循環経路の上部の吐出口から吹き出された冷気を下部の吸引口より吸引することにより、前面開放部にエアーカーテンを形成し、前記保冷庫内を保冷するようにした多段型オープンショーケースにおいて、
前記最上段の陳列棚の上面を照明する左右方向を向く照明器具の少なくとも両端部を、該照明器具を前記内ケースの天井面に沿って前後方向に案内する案内手段に支持させ、該案内手段が、内ケース天井に前後方向に向けて設けられた左右１対の案内レールと、該案内レールに摺動可能に支持された照明器具保持部材とよりなり、前記案内レールを、その下面が内ケース天井面とほぼ同一面をなすようにして内ケース天井内に埋設したことを特徴とする多段型オープンショーケース。
【請求項２】
前面が開放された外ケースと内ケースとの間に、内部に冷却器と送風機を収容してなる冷気循環経路を形成するとともに、前記内ケースにより囲まれた保冷庫内に上下複数段の陳列棚を設け、前記冷気循環経路の上部の吐出口から吹き出された冷気を下部の吸引口より吸引することにより、前面開放部にエアーカーテンを形成し、前記保冷庫内を保冷するようにした多段型オープンショーケースにおいて、
前記最上段の陳列棚の上面を照明する左右方向を向く照明器具の少なくとも両端部を、該照明器具を前記内ケースの天井面に沿って前後方向に案内する案内手段に支持させ、照明器具と内ケース天井面又は案内手段とに、照明器具の前後移動を防止する固定手段を設け、該固定手段が、内ケース天井面又は案内手段の下面から離間するようにして照明器具の上部に取付けたマグネットよりなるものとし、照明器具を上方に持ち上げたとき、マグネットが磁性体により形成された内ケース天井面又は案内手段の下面に吸着して、照明器具の前後移動が防止されるようにしたことを特徴とする多段型オープンショーケース。
【請求項３】
照明器具を、案内手段に前後に摺動可能に支持された、下端が開口する反射材の内部に設けるとともに、マグネットを反射材の上面に取り付けた請求項２に記載の多段型オープンショーケース。
【請求項４】
反射材を案内手段に前後方向に回動可能に取付けた請求項３に記載の多段型オープンショーケース。
【発明の詳細な説明】
【０００１】
【発明の属する技術分野】
本発明は、例えばスーパーマーケットやデパート、コンビニエンスストア等において、冷凍や冷蔵食品、生鮮食料品などを陳列する際に用いられる多段型のオープンショーケースに係り、特に最上段の陳列棚をバランスよく照明し得るようにした多段型オープンショーケース関する。
【０００２】
【従来の技術】
この種のオープンショーケースとしては、例えば特許第２７２１９５６号公報、実開昭５７−１２５９９３号公報、及び実用新案登録第２５９０１５２号公報等に開示されているものがある。
【０００３】
【発明が解決しようとする課題】
一般的な多段型オープンショーケースにおいて、最上段の陳列棚の上面は、内ケースの天井面に取付けた蛍光ランプにより、また中間の各陳列棚の上面は、それらの上位側の陳列棚の下面の先端部に取付けた蛍光ランプにより、それぞれ照明されるようになっている。
【０００４】
しかしながら、最上段の陳列棚においては、その奥部にミラー又は商品の値札や名札等を取付けるＰＯＰレールなどを装着することが多いため、内ケース天井面との距離が大となり、また蛍光ランプの取付位置を前方にずらさざるを得ない場合がある。
【０００５】
そのため、上述した従来の前者の２例のもののように、照明ランプが内ケースに固定的に取付けられていると、最上段の陳列棚全体をバランスよく照明することができず、商品の陳列効果が低下する。
【０００６】
上記従来の後者のショーケースは、インバータバラストにより蛍光ランプの照度を変えるようにしているため、庫内全体をバランスよく照明し得る利点はあるが、調光器等を備えているのでコスト高となる。
【０００７】
本発明は、上記問題点を解決するためになされたもので、照明器具を前後方向に移動可能とすることにより、最上段の陳列棚全体をバランスよく照明することができるようにした多段型オープンショーケースを提供することを目的としている。
【０００８】
【課題を解決するための手段】
上記目的を達成するために、本発明の多段型オープンショーケースは、前面が開放された外ケースと内ケースとの間に、内部に冷却器と送風機を収容してなる冷気循環経路を形成するとともに、前記内ケースにより囲まれた保冷庫内に上下複数段の陳列棚を設け、前記冷気循環経路の上部の吐出口から吹き出された冷気を下部の吸引口より吸引することにより、前面開放部にエアーカーテンを形成し、前記保冷庫内を保冷するようにした多段型オープンショーケースにおいて、前記最上段の陳列棚の上面を照明する左右方向を向く照明器具の少なくとも両端部を、該照明器具を前記内ケースの天井面に沿って前後方向に案内する案内手段に支持させ、該案内手段が、内ケース天井に前後方向に向けて設けられた左右１対の案内レールと、該案内レールに摺動可能に支持された照明器具保持部材とよりなり、前記案内レールを、その下面が内ケース天井面とほぼ同一面をなすようにして内ケース天井内に埋設したことを特徴としている。
上記構成の本発明によると、照明器具を、最上段の陳列棚の前後長や天井面までの距離に応じて前後方向に移動させることにより、陳列棚の上面をバランスよく照明することができる。そして簡単な手段で照明器具を前後方向に安定的に移動することができ、かつ案内レールが露出しないので、見栄えが向上する。
【００１２】
本発明の多段型オープンショーケースは、前面が開放された外ケースと内ケースとの間に、内部に冷却器と送風機を収容してなる冷気循環経路を形成するとともに、前記内ケースにより囲まれた保冷庫内に上下複数段の陳列棚を設け、前記冷気循環経路の上部の吐出口から吹き出された冷気を下部の吸引口より吸引することにより、前面開放部にエアーカーテンを形成し、前記保冷庫内を保冷するようにした多段型オープンショーケースにおいて、前記最上段の陳列棚の上面を照明する左右方向を向く照明器具の少なくとも両端部を、該照明器具を前記内ケースの天井面に沿って前後方向に案内する案内手段に支持させ、照明器具と内ケース天井面又は案内手段とに、照明器具の前後移動を防止する固定手段を設け、該固定手段が、内ケース天井面又は案内手段の下面から離間するようにして照明器具の上部に取付けたマグネットよりなるものとし、照明器具を上方に持ち上げたとき、マグネットが磁性体により形成された内ケース天井面又は案内手段の下面に吸着して、照明器具の前後移動が防止されるようにしたことを特徴としている。
このようにすると、照明器具を所望の位置に固定し得るので、不用意に照明器具に手などが触れたとしても、前後に位置ずれすることはない。そして照明器具の固定及びその解除を簡単に行うことができる。
【００１３】
上記多段型オープンショーケースにおいて、照明器具を、案内手段に前後に摺動可能に支持された、下端が開口する反射材の内部に設けるとともに、マグネットを反射材の上面に取り付けるのが好ましい。
このようにすると、照明器具の照度が大となるので、最上段の陳列棚の上面をより効果的に照明することができる。
【００１４】
上記多段型オープンショーケースにおいて、反射材を案内手段に前後方向に回動可能に取付けるのが好ましい。
このようにすると、照明器具の照射方向を変えることにより、前後方向への移動を最小限として陳列棚の上面をバランスよく照明することができる。
【００１５】
【発明の実施の形態】
以下、本発明の一実施形態を図面に基づいて説明する。図１は本発明の適用された低温ショーケースを示す要部縦断面図、図２は低温ショーケースの天井面に照明器具が前後方向に案内可能に支持されている状態を示す部分拡大断面図、図３は低温ショーケースの天井面に取付られた状態を示す本発明の照明器具の断面図、図４は図３のＢ部拡大図であり、図５は照明器具保持部材の斜視図である。
【００１６】
先ず図１には、本発明の適用された低温ショーケース１が示されている。図１における３は内ケース、８は断熱筐体としての外ケース、４は側板であり、これら内ケース３、外ケース８、側板４により前方に開放する保冷庫としての商品陳列用空間部６が構成されており、内ケース３の背面に固着された複数の陳列棚７により商品を多段に陳列出来るようになっている。
【００１７】
内ケース３と、その外側に配設される外ケース８との間には、冷気循環経路としての冷気を挿通する挿通路９が設けられており、この挿通路９内に設けられるファン１０を駆動させ、商品陳列用空間部６の前方下部に設けられる取込口１１から空気を取り込むとともに、取り込んだ空気を冷却装置Ｒにより冷却し、図中矢印方向に対流させることで、商品陳列用空間部６内を、冷凍食品や生鮮食料品等を陳列可能な所定温度まで冷却出来るようになっている。
【００１８】
また、商品陳列用空間部６の前方上部に設けられた吐出口１２からは下方の取込口１１に向けて冷気が吐出され、商品陳列用空間部６の前面にエアーカーテンが作り出されるため、商品陳列用空間部６内の冷気の拡散や外部からの熱進入が防止され、商品陳列用空間部６内の温度が一定に保持されるようになっている。
【００１９】
この低温ショーケース１には、陳列棚７に陳列された商品、及び庫内を照らすための照明器具１３が、従来公知のクリップ１４を介して複数箇所に設けられている。このクリップ１４は、樹脂材あるは金属材により下向き略Ｃ字状に形成されてなるもので、照明器具１３を弾性的に狭持出来るようになっている。
【００２０】
さらに、前記照明器具１３に加えて商品陳列用空間部６の前方上部に設けられた吐出口１２近傍の内ケース３下面には、本発明の照明器具Ｌが取付られている。
【００２１】
この照明器具Ｌは、最上段の陳列棚７の上面を照明するためのもので、例えば左右方向を向く所定長さの蛍光ランプ１５であって、この蛍光ランプ１５は、内ケース３の天井面３ａに前後方向に向けて設けられ、天井面に３ａに沿って前後方向に案内する案内手段としての左右１対の案内レール２２ａ、２２ｂに支持されている。
【００２２】
更に詳しくは、照明器具Ｌは、下端が開口する反射材として例えば内面が鏡面処理され又は内面に鏡体が貼着された反射カバー１６の内部に設けられている。
【００２３】
この反射カバー１６は、蛍光ランプ１５と同等長さ、又はそれよりも若干長寸の反射カバー１６によって形成され、後述する吊支具１８によって内部に保持される蛍光ランプ１５の上面ないし両側面が囲繞されている。
【００２４】
この吊支具１８は、図３、図４に示されるように、反射カバー１６上面の長手方向両外側にあって、蛍光ランプ１５の両側を弾力的に挟持すべく下面側が開閉可能な開口を形成したＣ字状のクリップ１９と、該開口とは反対側に設けられて反射カバー１６の上面に穿設された図示しない係止孔を挿通した際の弾力的な復元力を利用して係止される係止具２０とで構成されている。
【００２５】
一方、内ケース３の天井面３ａに前後方向に向けて並設される案内レール２２ａ、２２ｂは、開口部２３を下向きに配置した断面矩形のチャンネル材で構成され、これら案内レール２２ａ、２２ｂは、その下面が内ケース３の天井面３ａと面一になるよう取付けられ、案内レール２２ａ、２２ｂ上面の適所に形成される挿通孔には電源コードＣの周囲をシールするためのシール部材２５が装着されている。
【００２６】
そして、反射カバー１６の長手方向両端には、前述した案内レール２２ａ、２２ｂに支持される照明器具保持部材としての一対のホルダ２４、２４が上面より突設配置されている。
【００２７】
これらホルダ２４、２４は、図５に示されるように、例えば合成樹脂などからなる弾性体によって円柱状に形成されてその両側面の中間には所定幅Ｇを有する一対の溝２６ａ、２６ｂが形成され、該両溝２６ａ、２６ｂによって上下に係止用のフランジ２７、２８が形成され、下部フランジ２８の下面には基部の周囲に反射カバー１６の板厚に相当するリング溝３０を有する円錐状の係止突起２９が突設されており、この係止突起２９の下端には上面に貫通するコード挿通孔３２が形成されている。
【００２８】
これらホルダ２４は、下端の係止突起２９が反射カバー１６の長手方向両端に装着され、上端のフランジ２７が案内レール２２ａ、２２ｂの下面に前後に摺動可能に支持され、両溝２６ａ、２６ｂによって形成される２平面が案内レール２２ａ、２２ｂ下面の開口部２３によって案内され、溝幅Ｇの範囲で反射カバー１６が上下方向に移動可能に構成されている。
【００２９】
さらに、蛍光ランプ１５の両端にはコネクタ２１ａ、２１ｂが接続され、これらコネクタ２１ａ、２１ｂから延出された電源コードＣは、両ホルダ２４の内部を挿通して図１に示されるように案内レール２２ａ、２２ｂ内部に両ホルダ２４が移動可能な範囲で長さの余裕を持たせて収容し、シール部材２５を通して挿通路９の内部に導入したのち商品陳列用空間部６の前方上部に配置された図示しないプラグに接続されている。
【００３０】
なお、これら電源コードＣは、内ケース３の天井面３ａの適所に形成された、開閉可能な点検口からメンテナンスできるように構成されている。
【００３１】
一方、反射カバー１６の上面またはその周囲には固定手段として例えばマグネットＭＧが取り付けられており、マグネットＭＧに対向する面となる内ケース３の天井面３ａまたは案内レール２２ａ、２２ｂが磁性体で構成されている。
【００３２】
次に前述した照明器具Ｌの作用につき説明する。
【００３３】
先ず、照明器具Ｌによって内ケース３の背面に固着されて上下に配置された複数の陳列棚７の上面及び前方を照明する場合には、照明器具Ｌは、商品陳列用空間部６の内ケース３天井面３ａの案内レール２２ａ、２２ｂに支持されて商品陳列用空間部６の前端部位に保持されている。
【００３４】
次に、複数の陳列棚７の内、最上段の陳列棚７を照明する場合には、照明器具Ｌを案内レール２２ａ、２２ｂに沿って案内しつつ商品陳列用空間部６の内ケース３側に向けて移動する。
【００３５】
この移動により、照明するために好適な位置が定まると、反射カバー１６をホルダ２４、２４の溝幅Ｇの範囲で持ち上げると、図４に示されるように、マグネットＭＧが内ケース３の天井面３ａまたは案内レール２２ａ、２２ｂの下面に吸着される。
【００３６】
このように、照明器具Ｌの反射カバー１６は、一対のホルダ２４、２４を介して内ケース３天井面３ａの１対の案内レール２２ａ、２２ｂに摺動可能に案内支持されて前後方向に向けて案内されるので、簡単な手段で照明器具Ｌを前後方向に安定的に移動することができる。
【００３７】
さらに、照明器具Ｌを、最上段の陳列棚７の前後長や天井面３ａまでの距離に応じて前後方向に移動させることにより、陳列棚７の上面をバランスよく照明することができる。
【００３８】
また、照明器具Ｌを保持する反射カバー１６の上面にはマグネットＭＧが取付られているので、反射カバー１６を所定量持ち上げることで、マグネットＭＧが天井面３ａ又は案内レール２２ａ、２２ｂの下面に吸着され、不用意に照明器具Ｌに手などが触れたとしても、前後に位置ずれすることはない。
【００３９】
加えて、照明器具Ｌの照度が大となるので、最上段の陳列棚７の上面をより効果的に照明することができる。
【００４０】
更に、案内レール２２ａ、２２ｂの下面が内ケース３の天井面３ａとほぼ面一になるように内ケース３の天井面３ａ内に埋設されているので、案内レール２２ａ、２２ｂが露出するこがなく、見栄えが向上する。
【００４１】
次に、本発明の他の実施形態につき説明する。
【００４２】
図６は他の実施形態に係る照明器具の側面図である。なお前述した実施形態における構成部分と同一構成部分については同一符号を付し重複する説明を省略する。
【００４３】
反射カバー１６は、断面形状が多角形に形成されており、水平面となる上面１６ａと、例えば４５°の傾斜面として両側に形成される当接面１６ｂ、１６ｃとを有している。
【００４４】
反射カバー１６の長手方向両端には、上面に一対の支持具Ｈ２、Ｈ２が突設配置されており、これら支持具Ｈ２、Ｈ２は、回動軸３１を介して前述した案内レール２２ａ、２２ｂに摺動可能に支持される支持具Ｈ１、Ｈ１に回動可能に枢着されている。
【００４５】
さらに詳しくは、支持具Ｈ１は、角柱状に形成されて中間の両側面に形成された一対の溝３５によって上下に角形のフランジ３４、３６が形成され、支持具Ｈ１の一部には上下に貫通する図示しないコード挿通孔が形成されると共に、下端のフランジ３６下面にはホルダ３７が突設されている。
【００４６】
そして、支持具Ｈ１は、両溝３５によって形成される平行な２面が案内レール２２ａ、２２ｂ下面の開口部２３によって案内され、溝幅Ｇの範囲で反射カバー１６が上下方向に移動可能に構成されている。
【００４７】
一方、支持具Ｈ２は、反射カバー１６の長手方向両端に形成された図示しない挿通孔に係止部３３を挿通して弾力的な復元力を利用して係止され、反射カバー１６の両端上面にホルダ３８が突設されている。
【００４８】
案内レール２２ａ、２２ｂに摺動可能に支持される支持具Ｈ１のホルダ３７と、反射カバー１６両端上面に突設されるホルダ３８は、回動軸３１によって回動可能に枢着されている。
【００４９】
断面が多角形に形成される反射カバー１６は、水平面となる上面１６ａと、例えば４５°の傾斜面として両側に形成される当接面１６ｂ、１６ｃには、それぞれマグネットＭＧ及びＭＧ１、ＭＧ２がスペーサＳ、Ｓ１、Ｓ２を介して取り付けられている。
【００５０】
このように構成された反射カバー１６は、案内レール２２ａ、２２ｂに支持されて商品陳列用空間部６の内ケース３に向けて移動することができ、反射カバー１６が適所に移動されたところでそのまま上方に持ち上げると、マグネットＭＧが内ケース３の天井面３ａまたは案内レール２２ａ、２２ｂの下面に吸着される。
【００５１】
この位置で、照明器具Ｌの照射方向を変えたい場合は、反射カバー１６を時計回りまたは反時計回りに例えば９０°回動させることにより、マグネットＭＧ１またはＭＧ２を対向する内ケース３の天井面３ａまたは案内レール２２ａ、２２ｂに吸着することができる。
【００５２】
このようにすることにより、照明器具Ｌの照射方向を変えることにより、前後方向への移動を最小限として陳列棚７の上面をバランスよく照明することができる。
【００５３】
なお、前述した実施形態では、反射カバー１６は、断面多角形に形成された構成につき説明したが、円弧状断面に形成するか、または放物線形状に構成することも可能である。
【００５４】
以上、本発明の実施例を図面により説明してきたが、具体的な構成はこれら実施例に限られるものではなく、本発明の要旨を逸脱しない範囲における変更や追加があっても本発明に含まれる。
【００５５】
例えば、本実施例における反射カバーは、外周を連続する曲線となる円弧状断面に形成するか、または放物線形状に形成することにより、この上面外周にマグネットを連続的に配置すれば、照明器具の照射方向を連続的に変化させて設定させることができる。
【００５６】
【発明の効果】
本発明は以下の効果を奏する。
【００５７】
（ａ）請求項１項の発明によれば、照明器具を、最上段の陳列棚の前後長や天井面までの距離に応じて前後方向に移動させることにより、陳列棚の上面をバランスよく照明することができる。そして簡単な手段で照明器具を前後方向に安定的に移動することができ、かつ案内レールが露出しないので、見栄えが向上する。
【００５８】
（ｂ）請求項２項の発明によれば、照明器具を所望の位置に固定し得るので、不用意に照明器具に手などが触れたとしても、前後に位置ずれすることはない。そして照明器具の固定及びその解除を簡単に行うことができる。
【００６２】
（ｃ）請求項３項の発明によれば、照明器具の照度が大となるので、最上段の陳列棚の上面をより効果的に照明することができる。
【００６３】
（ｄ）請求項４項の発明によれば、照明器具の照射方向を変えることにより、前後方向への移動を最小限として陳列棚の上面をバランスよく照明することができる。
【図面の簡単な説明】
【図１】本発明の適用された低温ショーケースを示す要部縦断面図である。
【図２】低温ショーケースの天井面に照明器具が前後方向に案内可能に支持されている状態を示す部分拡大断面図である。
【図３】低温ショーケースの天井面に取付られた状態を示す本発明の照明器具の断面図である。
【図４】図３のＢ部拡大図である。
【図５】照明器具保持部材の斜視図である。
【図６】他の実施形態に係る照明器具の側面図である。
【符号の説明】
１            低温ショーケース
３            内ケース
３ａ          天井面
４            側板
６            商品陳列用空間部（保冷庫）
７            陳列棚
８            外ケース
９            挿通路（冷気循環経路）
１０          ファン
１１          取込口
１２          吐出口
１３          照明器具
１４          クリップ
１５          蛍光ランプ
１６          反射カバー（反射材）
１６ａ        上面
１６ｂ、１６ｃ当接面
１８          吊支具
１９          クリップ
２０          係止具
２１ａ、２１ｂコネクタ
２２ａ、２２ｂ案内レール
２３          開口部
２４          ホルダ
２５          シール部材
２６ａ、２６ｂ溝
２７、２８    フランジ
２９          係止突起
３０          フランジ
３０          リング溝
３１          回動軸
３２          コード挿通孔
３３          係止部
３５          溝
３４、３６    角フランジ
３７、３８    ホルダ
Ｃ            電源コード
Ｇ            溝幅
Ｈ１、Ｈ２    支持具
Ｌ            照明器具
ＭＧ          マグネット
ＭＧ１、ＭＧ２マグネット
Ｒ            冷却装置
Ｓ、Ｓ１、Ｓ２スペーサ
【図１】
0004510197.tif 000002
【図２】
0004510197.tif 000003
【図３】
0004510197.tif 000004
【図４】
0004510197.tif 000005
【図５】
0004510197.tif 000006
【図６】
0004510197.tif 000007